【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
複数のファイルを記憶可能な記憶手段を有する電子機器であって、
外部装置と通信するための通信手段と、
前記通信手段を介して、前記記憶手段に記憶されたファイルの閲覧に関する要求を前記外部装置から受信した場合、当該要求の種類に応じた情報を生成し、前記外部装置に応答として送信する応答手段と有し、
前記応答手段は、
受信した要求が、前記記憶手段に記憶された複数のファイルに関する情報を要求する種類に属するものであるか否かを判定する判定手段と、
該判定手段により、受信した要求が複数のファイルに関する情報を要求する種類に属すると判定した場合、該当する複数のファイルについて、要求された情報を記述した１つのチャンクを生成する生成手段と、
該生成手段で生成した前記チャンクを、前記要求の応答として送信する送信手段と
を含むことを特徴とする電子機器。
【請求項２】
前記複数のファイルに関する情報の要求には、少なくとも、ファイルのソートの種類を示す情報、および、要求する複数のファイルの最初のファイルのＩＤが引数として含まれ、
前記生成手段は、前記引数における前記ソートの種類に従って前記複数のファイルをソートし、前記ＩＤが示すファイル以降について、要求された情報を記述したチャンクを生成する
ことを特徴とする請求項１に記載の電子機器。
【請求項３】
前記応答手段は、
前記送信手段で前記チャンクの送信処理を行っている際に、前記外部装置からキャンセル要求を受信した場合、前記チャンクの送信処理を終了する手段を更に有することを特徴とする請求項１又は２に記載の電子機器。
【請求項４】
撮像手段と、該撮像手段で撮像して得た画像データを、前記ファイルとして前記記憶手段に格納する格納手段とを更に備えることを特徴とする請求項１乃至３のいずれか１項に記載の電子機器。
【請求項５】
外部装置と通信するための通信手段を有し、当該通信手段を介して前記外部装置が記憶保持しているファイルを閲覧する電子機器であって、
前記外部装置が有するファイルについて、一覧表示する際の表示形式に関する情報を設定する設定手段と、
該設定手段による設定に従った要求を前記外部装置に送信し、当該送信の応答情報を受信することで前記外部装置から情報を取得する取得手段と、
該取得手段で取得した情報に基づき、前記外部装置が有する前記ファイルの一覧を表示する表示制御手段とを有し、
前記取得手段は、
表示形式を特定する情報を引数とし、一度の要求で複数のファイルに関する情報を取得するための所定の要求コマンドを前記外部装置に送信したとき、当該要求コマンドに応じて受信したチャンクを取得し、
前記表示制御手段は、
受信した前記チャンクに含まれる個々のファイルに関する情報から、前記複数のファイルの一覧表する画面を生成し、表示する
ことを特徴とする電子機器。
【請求項６】
前記設定手段は、一覧表示する際のソートの種類、予め設定された項目の表示、非表示を設定することを特徴とする請求項５に記載の電子機器。
【請求項７】
前記取得手段により前記チャンクを受信中に、ユーザによる、予め設定された操作があった場合、送信のキャンセル要求を送信する手段を更に有することを特徴とする請求項５又は６に記載の電子機器。
【請求項８】
前記予め設定された操作は、前記設定手段による表示形式の変更の操作、または、受信中の前記チャンクによる一覧表示の処理中における未受信のファイルが表示されるべき位置へのスクロールの操作が含まれることを特徴とする請求項７に記載の電子機器。
【請求項９】
複数のファイルを記憶可能な記憶手段と外部装置と通信するための通信手段とを有する電子機器の制御方法であって、
前記通信手段を介して、前記記憶手段に記憶されたファイルの閲覧に関する要求を前記外部装置から受信した場合、当該要求の種類に応じた情報を生成し、前記外部装置に応答として送信する応答工程と有し、
前記応答工程は、
受信した要求が、前記記憶手段に記憶された複数のファイルに関する情報を要求する種類に属するものであるか否かを判定する判定工程と、
該判定工程により、受信した要求が複数のファイルに関する情報を要求する種類に属すると判定した場合、該当する複数のファイルについて、要求された情報を記述した１つのチャンクを生成する生成工程と、
該生成工程で生成した前記チャンクを、前記要求の応答として送信する送信工程と
を含むことを特徴とする電子機器の制御方法。
【請求項１０】
外部装置と通信するための通信手段を有し、当該通信手段を介して前記外部装置が記憶保持しているファイルを閲覧する電子機器の制御方法であって、
前記外部装置が有するファイルについて、一覧表示する際の表示形式に関する情報を設定する設定工程と、
該設定工程による設定に従った要求を前記外部装置に送信し、当該送信の応答情報を受信することで前記外部装置から情報を取得する取得工程と、
該取得工程で取得した情報に基づき、前記外部装置が有する前記ファイルの一覧を表示する表示制御工程とを有し、
前記取得工程は、
表示形式を特定する情報を引数とし、一度の要求で複数のファイルに関する情報を取得するための所定の要求コマンドを前記外部装置に送信したとき、当該要求コマンドに応じて受信したチャンクを取得し、
前記表示制御工程は、
受信した前記チャンクに含まれる個々のファイルに関する情報から、前記複数のファイルの一覧表する画面を生成し、表示する
ことを特徴とする電子機器の制御方法。
【請求項１１】
コンピュータが読み込み実行することで、前記コンピュータに、請求項９又は１０に記載の方法の各工程を実行させるたけのプログラム。
【請求項１２】
情報を提供する側として機能する第１の電子機器、および、前記第１の電子機器が記憶保持している前記複数のファイルを閲覧する側として機能する第２の電子機器で構成される情報処理システムであって、
前記第１の電子機器は、
複数のファイルを記憶可能な記憶手段と、
前記第２の電子機器と通信するための第１の通信手段と、
該第１の通信手段を介して、前記記憶手段に記憶されたファイルの閲覧に関する要求を前記外部装置から受信した場合、当該要求の種類に応じた情報を生成し、前記外部装置に応答として送信する応答手段と有し、
前記第２の電子機器は、
前記第１の電子機器と通信するための第２の通信手段と、
前記第１の電子機器が有するファイルについて、一覧表示する際の表示形式に関する情報を設定する設定手段と、
該設定手段による設定に従った要求を前記第１の電子機器に送信し、当該送信の応答情報を受信することで前記第１の電子機器から情報を取得する取得手段と、
該取得手段で取得した情報に基づき、前記第１の電子機器が有する前記ファイルの一覧を表示する表示制御手段とを有し、
前記第１の電子機器の前記応答手段は、
受信した要求が、前記記憶手段に記憶された複数のファイルに関する情報を要求する種類に属するものであるか否かを判定する判定手段と、
該判定手段により、受信した要求が複数のファイルに関する情報を要求する種類に属すると判定した場合、該当する複数のファイルについて、要求された情報を記述した１つのチャンクを生成する生成手段と、
該生成手段で生成した前記チャンクを、前記要求の応答として送信する送信手段とを含み、
前記第２の電子機器の前記取得手段は、
表示形式を特定する情報を引数とし、一度の要求で複数のファイルに関する情報を取得するための所定の要求コマンドを前記外部装置に送信したとき、当該要求コマンドに応じて受信したチャンクを取得し、
前記第２の電子機器の前記表示制御手段は、
受信した前記チャンクに含まれる個々のファイルに関する情報から、前記複数のファイルの一覧表する画面を生成し、表示する
ことを特徴とする情報処理システム。
【手続補正２】
【補正対象書類名】明細書
【補正対象項目名】０００７
【補正方法】変更
【補正の内容】
【０００７】
この課題を解決するため、例えば本発明の電子機器は以下の構成を備える。すなわち、
複数のファイルを記憶可能な記憶手段を有する電子機器であって、
外部装置と通信するための通信手段と、
前記通信手段を介して、前記記憶手段に記憶されたファイルの閲覧に関する要求を前記外部装置から受信した場合、当該要求の種類に応じた情報を生成し、前記外部装置に応答として送信する応答手段と有し、
前記応答手段は、
受信した要求が、前記記憶手段に記憶された複数のファイルに関する情報を要求する種類に属するものであるか否かを判定する判定手段と、
該判定手段により、受信した要求が複数のファイルに関する情報を要求する種類に属すると判定した場合、該当する複数のファイルについて、要求された情報を記述した１つのチャンクを生成する生成手段と、
該生成手段で生成した前記チャンクを、前記要求の応答として送信する送信手段と
を含むことを特徴とする。
【手続補正３】
【補正対象書類名】明細書
【補正対象項目名】００２９
【補正方法】変更
【補正の内容】
【００２９】
公衆網通信部２１４は、公衆無線通信を行う際に用いられるインターフェースである。スマートフォン２００は、公衆網通信部２１４を介して、他の機器と通話することができる。この際、制御部２０１はマイク２１５およびスピーカ２１６を介して音声信号の入力と出力を行うことで、通話を実現する。本実施形態では、公衆網通信部２１４はアンテナであり、制御部２０１は、アンテナを介して、公衆網に接続することができる。なお、接続部２１１および公衆網通信部２１４は、一つのアンテナで兼用することも可能である。以上がスマートフォン２００の構成を説明した。そして、デジタルカメラ１００とスマートフォン２００が、実施形態における情報処理システムを構成することになる。
【手続補正４】
【補正対象書類名】明細書
【補正対象項目名】００３１
【補正方法】変更
【補正の内容】
【００３１】
デジタルカメラ１００の不揮発性メモリ１０３にはＡＰＩがプログラムとして予め保存されている。接続部１１１を介して外部装置との通信が確立すると、制御部１０１はＡＰＩを作業用メモリ１０４に展開し、外部装置からＡＰＩがリクエストされるのを待つ。制御部１０１が外部装置からＡＰＩがリクエストされたことを検知すると、リクエストされたＡＰＩの種類に応じた処理を実行し、その結果をレスポンスとして外部装置に返す。なお、ＡＰＩはデジタルカメラ１００が規定した通信プロトコル上で実行され、外部装置は規定された通信プロトコルを用いてデジタルカメラ１００と通信を行い、ＡＰＩをリクエストする。なお、本実施形態では、ＨＴＴＰを用いてＡＰＩのリクエストおよび応答が実行されることを想定して説明するが他の通信プロトコルを用いても実施可能である。なお、ＨＴＴＰは公知の通信プロトコルであるため、その詳細についての説明は割愛する。
【手続補正５】
【補正対象書類名】明細書
【補正対象項目名】００５２
【補正方法】変更
【補正の内容】
【００５２】
まず、Ｓ６０１において、デジタルカメラ１００とスマートフォン２００は無線ローカルエリアネットワーク（ＬＡＮ）接続を確立し、通信システムを形成する。ここでは、デジタルカメラ１００の接続部１１１をＡＰモードで動作させ、デジタルカメラ１００が形成するネットワークにスマートフォン２００を参加させる方法で無線ＬＡＮ接続を確立するものとする。例えば、操作部１０５の接続ボタンが押下され、ＡＰモードでの動作が指定されると、デジタルカメラ１００の制御部１０１は、自身が形成するネットワークに外部装置が接続するために必要なＳＳＩＤ(ServiceSetIdentifier)と暗号化キーを生成する。その後、制御部１０１は、ＳＳＩＤと暗号化キーを用いて接続部１１１をＡＰモードで動作させることにより無線ＬＡＮネットワークを生成し、接続に必要な情報を含んだビーコン信号の周期的なブロードキャストを開始する。なお、スマートフォン２００からＳＳＩＤを直接入力させる場合には、ビーコン信号のブロードキャストは行わなくてもよい。なお、制御部１０１は生成したＳＳＩＤと暗号化キーを表示部１０６に表示し、スマートフォン２００のユーザが無線ＬＡＮネットワークに参加できるようにする。なお、ＳＳＩＤとは、ＩＥＥＥ８０２．１１シリーズの無線ＬＡＮにおけるアクセスポイントの識別子であり、混信を避けるために付けられる名前である。暗号化キーとは、ＳＳＩＤに不正アクセスされないよう無線ＬＡＮの暗号化を行うためのキーである。次に、制御部１０１は、ＤＨＣＰ(DynamicHostConfigurationProtocol)サーバアプリケーションを実行し、デジタルカメラ１００が形成したネットワークに参加する外部装置に対してＩＰアドレスを割り振る準備をする。一方、スマートフォン２００の制御部２０１は、接続部２１１の無線ＬＡＮ機能が有効でなければ有効とし、接続部２１１を用いて通信可能範囲に存在するアクセスポイントを探索する。そして、見つかったアクセスポイントのＳＳＩＤの一覧を、表示部２０６に表示する。制御部２０１は、表示部２０６に表示されたＳＳＩＤ一覧から操作部２０５を通じて選択指示が与えられると、選択されたＳＳＩＤに応じて暗号化キーの入力画面を表示部２０６に表示する。そして、制御部２０１は、選択されたＳＳＩＤと操作部２０５を通じて入力された暗号化キーを接続部２１１に通知し、選択されたＳＳＩＤへの接続を試みる。従って、スマートフォン２００のユーザは、まず、表示部２０６に一覧表示されたＳＳＩＤからデジタルカメラ１００の表示部１０６に表示されたＳＳＩＤを操作部２０５を用いて選択する。デジタルカメラ１００が形成している無線ＬＡＮネットワークは暗号化されているため、制御部２０１は暗号化キーの入力画面を表示部２０６に表示する。そして、ユーザは、暗号化キーの入力画面に、デジタルカメラ１００の表示部１０６に表示された暗号化キーを、操作部２０５を用いて入力する。暗号化キーが正しく入力されれば、スマートフォン２００がデジタルカメラ１００（簡易ＡＰ）に認証され、スマートフォン２００からの接続要求に対してデジタルカメラ１００が接続許可を応答することで接続が完了する。スマートフォン２００は、デジタルカメラ１００から割り当てられたＩＰアドレスを用いて、���ジタルカメラ１００と通信することが可能になる。なお、ここではデジタルカメラ１００が簡易ＡＰとして動作する例を説明したが、他のＡＰ（無線ルータなど）が構築するＬＡＮに、クライアントとして動作するデジタルカメラ１００とスマートフォン２００がそれぞれ接続する形態であってもよい。
【手続補正６】
【補正対象書類名】明細書
【補正対象項目名】００５４
【補正方法】変更
【補正の内容】
【００５４】
次に、Ｓ６０３において、制御部２０１は、接続部２１１を介して、製品情報を取得するＡＰＩ３０１（RequestProductInfo）のリクエストをデジタルカメラ１００に送信する。
【手続補正７】
【補正対象書類名】明細書
【補正対象項目名】００５５
【補正方法】変更
【補正の内容】
【００５５】
Ｓ６０４で、デジタルカメラ１００の制御部１０１は、接続部１１１を介してＡＰＩ３０１のリクエストを受信したことを検知する。制御部１０１は、リクエストされたＡＰＩ３０１に対応するプログラムを実行することにより、製品情報を収集してレスポンス用データセットに含め、接続部１１１を介してスマートフォン２００に送信（応答）する。製品情報の例としては、デジタルカメラ１００の製品名、製造者名、ファームウェアバージョン、シリアルナンバーなどであり、例えば不揮発性メモリ１０３から取得することができる。スマートフォン２００は、接続部２１１を通じてデジタルカメラ１００の製品情報を受信する。
【手続補正８】
【補正対象書類名】明細書
【補正対象項目名】００５６
【補正方法】変更
【補正の内容】
【００５６】
Ｓ６０５において、スマートフォン２００の制御部２０１は、接続部２１１を介してＡＰＩ３０２（RequestMemoryInfo）をデジタルカメラ１００にリクエストする。
【手続補正９】
【補正対象書類名】明細書
【補正対象項目名】００５７
【補正方法】変更
【補正の内容】
【００５７】
Ｓ６０６において、デジタルカメラ１００の制御部１０１は、接続部１１１を介してＡＰＩ３０２のリクエストを受信したことを検知する。制御部１０１は、リクエストされたＡＰＩ３０２に対応するプログラムを実行することにより、保存領域ＩＤ、保存可能容量、空き容量、保存済みコンテンツ数を、作業用メモリ１０４や記録媒体１１０より取得する。そして、制御部１０１はこれらの情報をレスポンス用データセットに成形して、接続部１１１を介してスマートフォン２００に送信する。スマートフォン２００の制御部２０１は、接続部２１１を通じてデジタルカメラ１００の保存領域の情報を受信する。
【手続補正１０】
【補正対象書類名】明細書
【補正対象項目名】００５９
【補正方法】変更
【補正の内容】
【００５９】
Ｓ６０７で表示したメニュー画面を通じて、ユーザによる、デジタルカメラ１００との連係動作「カメラ内の画像を見る」の実行指示（コンテンツ一覧表示の指示）がＳ６０８でなされたとする。この指示に応答して、スマートフォン２００の制御部２０１はＳ６０９において、接続部２１１を介して、保存領域ＩＤと取得要求枚数、コンテンツフォーマットの種類とソート条件を引数とするＡＰＩ３０３（RequestContentInfo）をデジタルカメラ１００にリクエストする。ここでは、領域ＩＤには記録媒体１１０を示すＩＤ、取得要求枚数には保存済みコンテンツデータの総数である“１００”、コンテンツフォーマットの種類には画像の種類（静止画）、ソート条件には、図５（ｂ）の表示設定で指定している条件をそれぞれ指定する。これらの引数は、ＡＰＩ３０２（RequestMemoryInfo）で取得した情報に基づいて指定することができる。なお、取得要求枚数として、記録媒体１１０に保存された「すべて」という指定を行ってもよいし、表示部２０６に一度に表示する最大数を指定してもよい。
【手続補正１１】
【補正対象書類名】明細書
【補正対象項目名】００６０
【補正方法】変更
【補正の内容】
【００６０】
Ｓ６１０においてデジタルカメラ１００の制御部１０１は、接続部１１１を介してＡＰＩ３０３（RequestContentInfo）のリクエストを受信したことを検知する。制御部１０１は、リクエストされたＡＰＩに対応するプログラムを実行することにより、ＡＰＩの引数として指定された保存領域に保存された、指定された種類のコンテンツデータファイルの情報を、指定された数だけ、記録媒体１１０より取得する。
【手続補正１２】
【補正対象書類名】明細書
【補正対象項目名】００６２
【補正方法】変更
【補正の内容】
【００６２】
Ｓ６１１において、制御部１０１は、作業用メモリ１０４に一時保存した、ソート済みのコンテンツデータ情報リストからレスポンス用データを生成し、接続部１１１を介してスマートフォン２００に送信する。このように、本実施形態においてコンテンツデータの送信装置は、取得要求数分のコンテンツデータ情報をまとめて応答する。例えば、コンテンツデータの送信プロトコルとして従来用いられているＰＴＰ(PictureTransferProtocol)を用いた場合、コンテンツデータごとに情報を要求する必要がある。従って、コンテンツデータの数に等しい回数、要求の送信と応答の受信を繰り返さなければならない。また、従来のプロトコルにおいて、コンテンツＩＤ（ＰＴＰではオブジェクトハンドル）は、コンテンツデータファイルが生成されるごとに割り当てられるため、基本的には古いコンテンツデータから順に割り当てられる。従って、指定するソート順に情報を取得したい場合、クライアント（要求装置）側で要求する順序を決定しなければならない。これに対し、本実施形態では、要求装置からは取得要求数のみを指定してコンテンツデータの情報を１回要求するだけで、指定したソート順に、かつ取得要求数分の情報（ＩＤおよび基本情報）が取得できる。そのため、複数のコンテンツデータファイルの情報を取得するために必要な処理負荷および時間を大幅に削減することができる。
【手続補正１３】
【補正対象書類名】明細書
【補正対象項目名】００６４
【補正方法】変更
【補正の内容】
【００６４】
Ｓ６１３においてデジタルカメラ１００の制御部１０１は、接続部１１１を介してＡＰＩ３０４（RequestChunkedContentData）のリクエストを受信したことを検知する。制御部１０１は、Ｓ６１０と同様に、コンテンツ情報から情報リストを生成し、スマートフォン２００から指定されたソート条件に従って、作業用メモリ１０４内でコンテンツデータ情報をソートする。ここで、Ｓ６１０のソート結果を流用してソート処理を省略してもよい。制御部１０１は、Ｓ６１０のソート結果に管理ＩＤを割り振り、その管理ＩＤをＳ６１１でスマートフォン２００へ通知する。Ｓ６１２でＡＰＩの引数にソート結果の管理ＩＤを指定できるようにすることで、ソート結果を流用することが可能である。
【手続補正１４】
【補正対象書類名】明細書
【補正対象項目名】００６５
【補正方法】変更
【補正の内容】
【００６５】
Ｓ６１４において、制御部１０１は、リクエストされたＡＰＩに対応するプログラムを実行することにより、ＡＰＩの引数を参照し、指定された基準となるコンテンツＩＤのコンテンツデータファイルおよび、指定されたコンテンツデータの詳細情報をレスポンス用のＣｈｕｎｋデータ形式で記述し、接続部１１１を介してスマートフォン２００に送信する。
【手続補正１５】
【補正対象書類名】明細書
【補正対象項目名】００６７
【補正方法】変更
【補正の内容】
【００６７】
複数枚の要求がある場合、制御部１０１は、Ｓ６１３で作成したソート結果から、次に送信するコンテンツＩＤを取得し、同様にコンテンツデータファイルおよびコンテンツデータの詳細情報をレスポンス用のＣｈｕｎｋデータ形式で記述し、接続部１１１を介してスマートフォン２００に送信していく。制御部１０１は、この処理を取得要求枚数分繰り返し、最後にＣｈｕｎｋ送信の終了を表す"0"をレスポンス用データに記述し送信し、この処理を終了する。
【手続補正１６】
【補正対象書類名】明細書
【補正対象項目名】００６８
【補正方法】変更
【補正の内容】
【００６８】
Ｓ６１５において、スマートフォン２００は接続部２１１を介してＣｈｕｎｋデータを受信する。受信したデータは制御部２０１によって個々のコンテンツデータファイルおよびコンテンツデータ情報に分割され、分割したデータは作業用メモリ２０４で一時的に保持する。制御部２０１は保持したコンテンツデータを使用し、コンテンツ一覧画面の生成を行う。そして、制御部２０１は、生成したコンテンツ一覧画面を表示部２０６に表示させる。
【手続補正１７】
【補正対象書類名】明細書
【補正対象項目名】００７２
【補正方法】変更
【補正の内容】
【００７２】
Ｓ７０１において、制御部１０１は、接続部１１１を通じてスマートフォン２００の接続部２１１と通信し、無線ローカルエリアネットワーク（ＬＡＮ）接続を確立する。本処理はＳ６０１におけるデジタルカメラ１００の処理に相当する。
【手続補正１８】
【補正対象書類名】明細書
【補正対象項目名】００７３
【補正方法】変更
【補正の内容】
【００７３】
Ｓ７０２において制御部１０１は、ディスカバリ処理を行う。本処理は、Ｓ６０２におけるデジタルカメラ１００の処理に相当する。
【手続補正１９】
【補正対象書類名】明細書
【補正対象項目名】００７４
【補正方法】変更
【補正の内容】
【００７４】
Ｓ７０３において制御部１０１は、接続部１１１を介してＡＰＩのリクエストを受信したか否かを判定し、受信していれば処理をＳ７０４に進め、受信していなければＳ７０３の処理を繰り返す。
【手続補正２０】
【補正対象書類名】明細書
【補正対象項目名】００７７
【補正方法】変更
【補正の内容】
【００７７】
Ｓ７０６において制御部１０１は、ＡＰＩ３０１の実行により取得された情報・データを、スマートフォン２００へレスポンスとして送信するための所定のデータ形式にしたのち、接続部１１１を通じてスマートフォン２００に送信する。
【手続補正２１】
【補正対象書類名】明細書
【補正対象項目名】００８４
【補正方法】変更
【補正の内容】
【００８４】
Ｓ７２２において制御部１０１は、デジタルカメラ１００がＡＰＩサービスとして用意していないＡＰＩをスマートフォン２００がリクエストしたと判定し、エラーである旨をレスポンスとして接続部１１１を通じてスマートフォン２００に送信する。
【手続補正２２】
【補正対象書類名】明細書
【補正対象項目名】００８８
【補正方法】変更
【補正の内容】
【００８８】
Ｓ７３５において制御部１０１は、ソート結果に基づき、コンテンツデータファイルを読み込む。Ｓ７３６において制御部１０１は、読み込んだコンテンツデータファイルをレスポンス用のＣｈｕｎｋデータ形式で記述し、接続部１１１を介してスマートフォン２００に送信する。
【手続補正２３】
【補正対象書類名】明細書
【補正対象項目名】００９０
【補正方法】変更
【補正の内容】
【００９０】
Ｓ７３８において制御部１０１は、要求されたコンテンツデータの詳細情報を読み込む。Ｓ７３９において制御部１０１は、読み込んだコンテンツデータの詳細情報をレスポンス用のＣｈｕｎｋデータ形式で記述し、接続部１１１を介してスマートフォン２００に送信する。送信後、処理をＳ７３７へ進め、再び未送信なコンテンツデータの詳細情報の有無を確認する。
【手続補正２４】
【補正対象書類名】明細書
【補正対象項目名】００９１
【補正方法】変更
【補正の内容】
【００９１】
Ｓ７４０において制御部１０１は、Ｃｈｕｎｋ送信の終了を表す"0"をレスポンス用データに記述し、接続部１１１を介してスマートフォン２００に送信し、処理を終了する。Ｓ７３４からＳ７４０までの処理は、図６のＳ６１４におけるデジタルカメラ１００の処理に相当する。
【手続補正２５】
【補正対象書類名】明細書
【補正対象項目名】００９４
【補正方法】変更
【補正の内容】
【００９４】
Ｓ８０１において、制御部２０１は、接続部２１１を通じてデジタルカメラ１００の接続部１１１と通信し、無線ローカルエリアネットワーク（ＬＡＮ）接続を確立する。本処理はＳ６０１におけるスマートフォン２００の処理に相当する。
【手続補正２６】
【補正対象書類名】明細書
【補正対象項目名】０１２４
【補正方法】変更
【補正の内容】
【０１２４】
デジタルカメラ１００およびスマートフォン２００の構成については第１の実施形態と共通でよいため説明を省略する。
【手続補正２７】
【補正対象書類名】明細書
【補正対象項目名】０１２６
【補正方法】変更
【補正の内容】
【０１２６】
図９Ａのフローチャートに示によれば、デジタルカメラ１００の制御部１０１は、コンテンツデータをスマートフォン２００に転送中、Ｓ９００にて、スマートフォン２００からのキャンセル要求を受信したか否かを判定する。そして制御部２０１は、キャンセル要求を受信したと判定した場合、処理をＳ７４０に進め、否の場合には処理をＳ７３７に進める。
【手続補正２８】
【補正対象書類名】明細書
【補正対象項目名】０１４３
【補正方法】変更
【補正の内容】
【０１４３】
Ｓ１００６において、スマートフォン２００の制御部２０１は、表示コンテンツのソート変更有無を確認する。本処理は図９ＢのＳ９０２に相当する。制御部２０１は表示設定変更前の設定内容と、表示設定変更後の設定内容を比較し、表示方法の変更があったことを検知する。表示方法の変更によりソート変更必要ありとして、コンテンツ一覧の再取得を試みる。
【手続補正２９】
【補正対象書類名】明細書
【補正対象項目名】０１４６
【補正方法】変更
【補正の内容】
【０１４６】
Ｓ１００９において、デジタルカメラ１００の制御部１０１は、Ｃｈｕｎｋ送信の終了を表す"0"をレスポンス用データに記述し、接続部１１１を介してスマートフォン２００に送信し、処理を終了する。
【手続補正３０】
【補正対象書類名】明細書
【補正対象項目名】０１４７
【補正方法】変更
【補正の内容】
【０１４７】
スマートフォン２００の制御部２０１は、コンテンツデータの送信がキャンセルされたことを確認し、Ｓ１０１０において、ＡＰＩ（RequestContentInfo）３０３をデジタルカメラ１００に再リクエストする。Ｓ１０１０以降の処理は、図６のＳ６０９以降の処理と同様なため説明は省略する。
【手続補正３１】
【補正対象書類名】明細書
【補正対象項目名】０１５７
【補正方法】変更
【補正の内容】
【０１５７】
＜デジタルカメラ１００の動作＞
本第３の実施形態におけるデジタルカメラ１００の処理は、第２の実施形態で示した図９Ａと同じでよい。つまり、デジタルカメラ１００の制御部１０１は、コンテンツデータをスマートフォン２００に転送中、Ｓ９００にて、スマートフォン２００からのキャンセル要求を受信したか否かを判定する。そして制御部１０１は、キャンセル要求を受信したと判定した場合、処理をＳ７４０に進め、否の場合には処理をＳ７３７に進め、送信処理を終了する。